Podtech/llm-jp-corpus-v4-ja_patent huggingface dataset:
(57)【要約】      （修正有）【課題】ノートの『縁の色や文字』を確認するだけで、ノートの種別を知ることができる。ワンポイントの部分に、違う色を挿入し、複数種類の色を利用することで、特定するノートの性格付けを機能させる識別カラー付きノートの提供。【解決手段】大学ノート本体１の背表紙を除く３方の縁２ａ,２ｂ,２ｃにベース色を付ける。更に１面に対し、ワンポイントの部分３ａ,３ｂ,３ｃに違う色を挿入する事によって、より細かい識別が可能になる。更に、学校指定のノートの場合、ワンポイントの部分３ａ,３ｂ,３ｃに、文字（こくご・さんすう・じゆうちょう等４ａ,４ｂ,４ｃ）を挿入する事により、ひと目見ただけでノートの種別を識別可能となる。【選択図】図１
0003103765.tif 000002
【実用新案登録請求の範囲】
【請求項１】
ノート帳本体の背表紙を除く３方の“縁”にベース色を付け、
更に、１面に対してワンポイントの部分を作り、そこに違う色を挿入する事により、
いちいち表紙を確認しなくても、
ノートの『縁の色』を確認するだけで、
そのノートの種別を知ることができる識別カラー付きノート。
複数種類の色を利用することで、
特定するノートの性格付けを機能させる事ができる。
色を付けるのは縁だけなので、ノートを開いた時は、
通常のノートと何ら変わりが無く、ノートの美観を損なう事も無い。
更に学校指定ノート（既に表紙に『こくご』『じゆうちょう』等と記載されているもの）は、ワンポイントの部分にその文字を挿入しておけば、
識別はより確実なものとなる。
【考案の詳細な説明】
【技術分野】
【０００１】本考案は、ノートの種類識別を容易且つ迅速に行う為の、ノートに関するものである。
【背景技術】
【０００２】ノートは、表紙や背表紙には色が付いているが、
ノートの“縁の部分”はどれも白一色であった。
【考案の開示】
【考案が解決しようとする課題】
【０００３】今までのノートは、引出しや鞄、ランドセル等に入っているままの状態では、
ノートの“縁”しか見えず、その色はどれも“白”のみ。
取り出して“表紙”を確認するまでは、そのノートの使用科目の判別が出来ず、
効率的ではなかった。
従って、ノートの縁に色や文字を挿入する事により、
ランドセルや鞄、机の引出しに入ったままでも、
例え、乱雑に積み上げられていたとしても、
いちいち取り出して表紙を確認せずに、ノートの“縁の色”を確認するだけで、
求めるノートの種類の判別を迅速に行えるもので、
前述の欠点を解決せんとするものである。
【課題を解決するための手段】
【０００４】本考案は、ノート帳を鞄や引出しから取り出す際、
最初に目に付く場所である“縁”に色や文字を付ける事で、表紙以外の部分からでも、
求めるノートの科目や種類を判別できるようにして、前述の問題を解決している。
更に１つの面に対し、ワンポイントの部分に違う色を挿入し、
複数種類の色を使い分ける事で、より細かい識別を可能にしている。
【考案の効果】
【０００５】本考案は、ノートの縁に着色する事で、取り出して表紙をいちいち確認せずに、
ノートの“縁の色”を確認するだけで、ひと目でノートの種別を知ることができる
更に、１つの面に対し、ワンポイントの部分に違う色を挿入し、
複数種類の色を利用することで、
求めるノートの、より細かい性格付けを機能させる。
色を付けると言っても、それは“縁だけ”なので、ノートを開いた時は、
通常のノートと何ら変わりが無く、ノート帳の美観を損なう事も無い。
色彩も使用者が自由に選べるので、学校で先生に提出したノートが返却される時など、
他人のノートと混じってしまう機会があっても、自分のノートがすぐ見分けられる。
【考案を実施するための最良の形態】
【０００６】ノート帳の背表紙を除く３面の縁にベースの色を着色する。
それぞれの面の、ワンポイントの部分に、違う色を挿入する。
その２種類の色を使い、ノートの性格付けを行なう。
【実施例】
【０００７】以下、添付図面に従って、１つの実地例を説明する。
使用者がノートを例えば「理科用」として使用しようとする場合。
ノート帳本体１の、ベース色部分２ａ・２ｂ・２ｃが、
例えば、『赤色』のノートを選択したとする。
これで、『ベース色が赤色の物は理科系のノート』と、大まかな性格付けができる。【０００８】更に、
ワンポイント色部分３ａ・３ｂ・３ｃの部分が黄色の物が生物
ワンポイント色部分３ａ・３ｂ・３ｃの部分が青色の物が物理
ワンポイント色部分３ａ・３ｂ・３ｃの部分が緑色の物が科学
と、選択する。
その事により、『ベースが赤色で、ワンポイントが黄色のノートは生物』と、
より細かい性格付けが機能する。
そして、いざ鞄や引出しから取り出す場合、その縁の色を確認すれば、
ひと目でそのノートを見分ける事ができ、即座に取り出す事ができる。【０００９】学校指定ノート（既に表紙に『こくご』や『じゆうちょう』等と記載されているもの）
の場合は、ワンポイント３ａ・３ｂ・３ｃの部分に、
図２の４ｃのように、その文字を挿入しておけば、
（国語辞典の縁に「あ」「か」「さ」……と印刷されているものと同様）
識別はより確実なものとなる。
【図面の簡単な説明】
【図１】本考案の実地例を示した図で、ノート帳を開いた状態で、正面よりやや斜め上から見た図である。
【図２】図１の縁の１面、２ｃ・３ｃ・４ｃの拡大図である。
【符号の説明】
１              ：  ノート帳本体
２ａ・２ｂ・２ｃ：  ノート帳の縁、ベースの色の部分
３ａ・３ｂ・３ｃ：  ノート帳の縁、ワンポイントの色の部分。
４ａ・４ｂ・４ｃ：  ワンポイントの部分に挿入する文字。
【図１】
0003103765.tif 000003
【図２】
0003103765.tif 000004
【手続補正書】
【提出日】平成16年3月24日(2004.3.24)
【手続補正１】
【補正対象書類名】実用新案登録請求の範囲
【補正対象項目名】全文
【補正方法】変更
【補正の内容】
【実用新案登録請求の範囲】
【請求項１】
ノート帳本体の背表紙を除く３方の縁にベース色を付け、
更に、１面に対してワンポイントの部分を作り、
そこに違う色、または、識別記号や文字を挿入する事により、
いちいち表紙を確認しなくても、ノートの縁の色を確認するだけで、
そのノートの種別を知ることができる識別カラー付きノート。
(57)【要約】      （修正有）【課題】これまでにない発想のロールタイプのナプキンを,今あるトイレットペーパーのように一般家庭ではもちろん、外界にも多く普及することによって女性の不安の種を解決する。【解決手段】現在、個別包装にあるナプキンをそのまま、もしくは広げた状態で巻き繋げていき、一本に連結する。それを隅から芯または芯無しに巻いていくことによりロールとする。【選択図】図４
0003103764.tif 000002
【実用新案登録請求の範囲】
【請求項１】
個々に包装されてある生理用三つ折りナプキンをそのまま、もしくは広げて個々に包装し連結していく。
【請求項２】
その連結した数十枚のナプキンを隅から芯に巻いていくことによりロールとする。
【請求項３】
世界に先駆けての発想だが、一般トイレには必ずトィレットペイパーが設置されているように女性用トイレに生理用品がないのが不思議である、
生理用ナプキンをロール上に巻きトイレットペーパーのように設置する、
まずは女性のいる自宅はもちろん、ある程度のモラルをもった方々の出は入りするホテルや店舗などへ進出していれば、突然やってくる月のものも女性にとって安心できる、日常ナプキンを持ち歩かなくても、持ち忘れも解消できる、
【考案の詳細な説明】
【技術分野】
【０００１】本考案は現在個々に包装されいるナプキンを繰り返し繋げてロール状にする。使用する部分を切り取り式ナプキンとする。
【背景技術】
【０００２】従来のナプキンは持ち運び、衛生さだけの物である。
【考案の開示】
【考案が解決しようとする課題】
【０００３】世の女性が生理中は無論、妊娠中、産後、排卵期前後、生理前後等  外出の際に携帯するナプキン。時に忘れたり、あるいは体調により急に訪れる月経にはヒヤリとするものです。  また月経でもないのに念の為に持ち歩く女性も少なくありません。【０００４】家庭以外の場所において、一部のトイレを除いては、女性の使用するトイレにトイレットペーパーはあっても、ナプキンを常時設置されている所はほとんどない。  ナプキンがないということで思春期の女子や世の女性たちが不安な時を過ごすのも過言ではない。
【考案が解決するための手段】
【０００５】本考案は従来の個別包装のナプキンをロール状に製造し、トイレに設置する。トイレにペーパーが当り前の今日、トイレにナプキンが加わってもおかしくない。
【図面の簡単な説明】
【０００６】
【図１】    通常のナプキン
【図２】    衛生上、表と裏を貼り合わせ  ナプキン本体をカバーする。
【図３】    ミシン目もしくは切断しやすい形状となっている。
【図４】    ロールナプキンの完成図。
【図１】
0003103764.tif 000003
【図２】
0003103764.tif 000004
【図３】
0003103764.tif 000005
【図４】
0003103764.tif 000006
【手続補正書】
【提出日】平成16年3月22日(2004.3.22)
【手続補正１】
【補正対象書類名】実用新案登録請求の範囲
【補正対象項目名】全文
【補正方法】変更
【補正の内容】
【実用新案登録請求の範囲】
【請求項１】
個々に包装されてある生理用三つ折ナプキンをそのまま、もしくは広げて個々に包装し連結したナプキン。
【請求項２】
連結した数十枚のナプキンを隅から芯に巻いていくことによりロール状にした請求項１記載のナプキン。
【手続補正２】
【補正対象書類名】明細書
【補正対象項目名】０００５
【補正方法】変更
【補正の内容】
【０００５】  本考案は従来の個別包装のナプキンを繋ぎ合わせて連結して、ロール状に製造する。使用するナプキンを切り取り式ナプキンとしトイレに設置する。トイレにペーパーが当たり前の今日、トイレにナプキンが加わってもおかしくない。
生理用ナプキンをロール状に巻きトイレットペーパーのように設置する。まずは女性のいる自宅はもちろん、ある程度のモラルをもった方々の出入りするホテルや店舗などへ進出していれば、突然の月経にもあわてることなく、女性にとって安心できる。  また、日常ナプキンの携帯においても、持ち忘れを解消できる。
(57)【要約】      （修正有）【課題】着用感が快適で帽子に付く頭髪の汚れ、汗、臭いを防ぎ、風で帽子が飛んだり、位置の変わるのを防ぐことができる帽子の内カバーを提供する。【解決手段】内カバーは、洗える吸水性の良い抗菌、防臭の網状のメッシュ地で形成される。その内カバーの外側面に着脱具２と、帽子の内側面に着脱具を付ける。内カバーの内側面の後頭部に、取付け取り外し可能な柔らかく、弾力のある材質で作られた櫛状のヘアーバンドを取り付ける。内カバーの内側面の前頭部に、取り外し可能な吸水性のよい脱臭の使い捨てパットを付ける。【選択図】図１
0003103763.tif 000002
【実用新案登録請求の範囲】
【請求項１】
頭を覆う部分１は吸水性のよい抗菌、防臭の網状のメッシュ地で形成されている帽子の内カバー
【請求項２】
内カバーの外側面に着脱具２（マジックテープ、ホック、ファスナー）を付け、帽子の内側面に着脱具３を取り付ける。２と３にて両者の着脱を自在にできる帽子の内カバー
【請求項３】
内カバーの内側面に柔らかくて弾力のある材質で作られた櫛状のヘアーバンド４を、取り付け取り外し可能な帽子の内カバー
【請求項４】
内カバーの内側面に、吸水性のよい脱臭の使い捨てパット７を、取り付け取り外し可能な帽子の内カバー
【考案の詳細な説明】
【技術分野】
【０００１】本考案は、季節、用途に関係なくあらゆる帽子に取り付ける内カバー
【背景技術】
【０００２】帽子をかぶっていると急に風が吹いてきた時、飛んでしまうことが多い。
帽子の内側に付いた汗、頭髪の臭いや汚れを洗濯でとろうとすると、帽子の外側形状がくずれたり、色褪せたりする。アイロンをかけても元の形にもどらない。
【考案開示】
【考案が解決しようとする課題】
【０００３】洗えない帽子（パナマ帽、麦わら帽、洗うと色あせたり、伸び縮みの恐れのある物、他）の内側に付く頭髪の汚れ、汗、臭いを気にしながらかぶっていた
【０００４】頭の汗の流れる不快感
【０００５】風で帽子が飛んだり、位置が変わる
【課題を解決するための手段】
【０００６】上記目的を達成するために、本考案の帽子の内カバーは吸水性がよく、通気性のある網状のメッシュ地で形成されている
【０００７】考案物の外側面に着脱具２を付け、内側面に柔らかくて弾力のある材質で作られた櫛状のヘアーバンド４を付ける。帽子の内側面に着脱具３を付ける。
【考案の効果】
【０００８】このような構成の内カバーを帽子に取り付けることによって、帽子の内側を清潔に保てて気持ちよくかぶっていられる。さらに、考案物の内側面に取り付けている櫛状のヘアーバンドで髪に留めることによって風で飛んだり、位置が変わるのを防ぐので安心してかぶっていられる。
【考案を実施するための形態】
【０００９】本考案の実施の形態を図面に基づいて説明する。図１は、内カバーの斜視図を示し、図２はその後頭部を示している。１は人の頭を覆う程度の大きさの吸水性がよく、洗濯可能なメッシュ地で形成されている。
【００１０】考案物の外側面に着脱具２を取り付ける。図３は帽子の斜視図で、帽子の内側面に着脱具を３を取り付ける。２と３にて両者の着脱を自在にできる。
【００１１】図１の、内側面の後頭部にあたる部分に柔らかくて弾力のある櫛状のヘアーバンド４を取り付ける。その取り付け、取り外しは、櫛状のヘアーバンドの上端部にあたる内カバーに数個所に輪っかを作り、ヘアーバンドをその輪っかに差し込むことにより行う。そして、櫛状のヘアーバンドを髪に留めて固定する。
【００１２】図５の、内側面の前頭部にあたる部分に、吸水性のよい使い捨てのパット７を取り付ける。その取り付け取り外しは、内カバーの回りの部分をパットが入る位の幅に折り上げて一個所だけ空けて袋の形に縫う。その空けた一個所からパットを出し入れする。
【図面の簡単な説明】
【００１３】
【図１】  本考案の実施形態を示す内カバーの斜視図
【図２】  その内カバーの後頭部の斜視図
【図３】  帽子の斜視図
【図４】  内カバーの前から見た斜視図
【図５】  内カバーの後ろから見た斜視図
【符号の説明】
【００１４】      １    内カバーの頭を覆う部分
２    内カバーの着脱具
３    帽子の着脱具
４    櫛状のヘアーバンド
５    帽子
６    輪っか
７    使い捨てパット
【図１】
0003103763.tif 000003
【図２】
0003103763.tif 000004
【図３】
0003103763.tif 000005
【図４】
0003103763.tif 000006
【図５】
0003103763.tif 000007
【手続補正書】
【提出日】平成16年3月4日(2004.3.4)
【手続補正１】
【補正対象書類名】実用新案登録請求の範囲
【補正対象項目名】全文
【補正方法】変更
【補正の内容】
【実用新案登録請求の範囲】
【請求項１】
頭を覆う部分１は吸水性のよい網状のメッシュ地で形成されている帽子の内カバー。
【請求項２】
内カバーの外側面に着脱具２マジックテープ、ホック、ファスナー、クリップのいずれかを付け、帽子の内側面に着脱具２に付けた種類の着脱具３を取り付け、２と３にて両者の着脱を自在にできる請求項１記載の帽子の内カバー。
【請求項３】
内カバーの内側面に柔らかくて弾力のある材質で作られた櫛状のヘアーバンド４を、取り付け取り外し可能な請求項１記載の帽子の内カバー。
【請求項４】
内カバーの内側面に、吸水性のよい使い捨てパット７を、取り付け取り外し可能な請求項１記載の帽子の内カバー。
【手続補正書】
【提出日】平成16年4月9日(2004.4.9)
【手続補正１】
【補正対象書類名】実用新案登録請求の範囲
【補正対象項目名】全文
【補正方法】変更
【補正の内容】
【実用新案登録請求の範囲】
【請求項１】
頭を覆う部分１は吸水性のよい網状のメッシュ地で形成されている帽子の内カバー。
【請求項２】
内カバーの外側面に着脱具２を付け、帽子の内側面に着脱具３を取り付け、着脱具２と着脱具３にて両者の着脱を自在にできる請求項１記載の帽子の内カバー。
【請求項３】
内カバーの内側面に柔らかくて弾力のある材質で作られた櫛状のヘアーバンド４を、取り付け取り外し可能な請求項１又は請求項２に記載の帽子の内カバー。
【請求項４】
内カバーの内側面に、吸水性のよい使い捨てパット７を、取り付け取り外し可能な請求項１ないし請求項３に記載の帽子の内カバー。
【手続補正２】
【補正対象書類名】明細書
【補正対象項目名】００１０
【補正方法】変更
【補正の内容】
【００１０】
考案物の外側面に着脱具２を取り付ける。着脱具２として、面ファスナー、ホック、ファスナー等を用いることが出来る。図３は帽子の斜視図で、帽子の内側面に着脱具３を取り付ける。２と３にて両者の着脱を自在にできる。
(57)【要約】【課題】簡易構造で小体積の電動ポンプを提供する。【解決手段】  電動ポンプをモータと羽根車とを結合して一体とした設計とし、主に二つのハウジングを具えて、内部中央に隔壁を具えて仕切って駆動室と羽根車室を形成し、羽根車室には羽根車を回転自在に設け、及び永久磁石を設けてモータの回転子を形成し、駆動室にはモータの固定子を設け、駆動室の固定子が羽根車室の羽根車を駆動することにより、ポンプ構造を簡略化し体積を縮小する効果を得る。 【実用新案登録請求の範囲】
【請求項１】
電動ポンプにおいて主に、二つのハウジングを具え、二つのハウジングの中央に隔壁を具えて仕切り、駆動室と羽根車室を形成し、該羽根車室に回転自在に羽根車を設け、及び永久磁石を設け、モータの回転子を形成し、駆動室にモータの固定子を設け、駆動室の固定子が羽根車室の羽根車を駆動することにより、ポンプ構造を簡略化し、また体積を縮小するようにして成ることを特徴とする電動ポンプ。
【考案の詳細な説明】
【技術分野】
【０００１】
本考案は電動ポンプに関し、特にモータと羽根車を結合して一体とした新しい電動ポンプ構造で、ポンプ構造を簡略化し体積を縮小する効果を得る電動ポンプに関する。
【背景技術】
【０００２】
ポンプの技術分野で、従来のポンプはモータが固定子と回転子を具えた完全なモータであり、これに羽根車装置を組み合わせて電動ポンプとして、揚水や曝気の用途に供している。この種の公知の電動ポンプは、モータと羽根車装置の二者の結合により構成されるため、体積は当然この二装置を含み、体積を縮小できない、構造を簡略化できないという欠点があり、公知技術の最大の欠点であり、解決が待たれている。
【考案の開示】
【考案が解決しようとする課題】
【０００３】
体積を縮小し、構造を簡略化した電動ポンプを提供することを課題とする。
【課題を解決するための手段】
【０００４】
本考案の電動ポンプは主に、二つのハウジングを具え、内部中央に隔壁を具えて仕切り、駆動室と羽根車室を形成する。羽根車室には羽根車を回転自在に設け、及び永久磁石を設け、モータの回転子を形成する。駆動室にはモータの固定子を設け、駆動室の固定子が羽根車室の羽根車を駆動する。これによりポンプ構造を簡略化し、体積を縮小する。
【考案の効果】
【０００５】
本考案は公知モータの回転子装置と公知ポンプ羽根車装置を一つに結合することにより、ポンプ構造を簡略化して体積を縮小した。軽薄短小が製品の主流となっている現代において、小型化した設計により容易に現代化製品中に運用されることができる。
【考案を実施するための最良の形態】
【０００６】
本考案の技術手段を実施例を挙げて図に沿って説明する。
図１に示すように、本考案は主に羽根車室ハウジング１と駆動室ハウジング２の二つのハウジングを含み、二つのハウジングは結合ボルト３０により結合して一体とする。二つのハウジング内部中央の隔壁３により仕切って駆動室２０と羽根車室１０を形成する。羽根車室１０は吸入口１１と吐出口１２を具え、且つ羽根車軸１３と羽根車軸１３上に回転自在に羽根車１４を設ける。羽根車１４下方に永久磁石１５を設け、モータの回転子に類似したものを形成する。駆動室２０にモータの固定子を設け、即ちモータ固定子鉄心２１、コイル２２と制御回路基板２３を設けて、駆動室２０の固定子が羽根車室１０の羽根車１４を駆動することにより、ポンプの機能を達成する。
【図面の簡単な説明】
【０００７】
【図１】本考案の実施例の組立断面図である。
【符号の説明】
【０００８】
１ 羽根車室ハウジング
１０ 羽根車室
１１ 吸入口
１２ 吐出口
１３ 羽根車軸
１４ 羽根車
１５ 永久磁石
２ 駆動室ハウジング
２０ 駆動室
２１ モータ固定子鉄心
２２ コイル
２３ 制御回路基板
３ 隔壁
３０ ボルト
【図１】
0003103713.tif 000002
(57)【要約】      （修正有）【課題】従来吹き矢は、広い場所を必要とし、用具も高価であるが、健康のため、吹き矢ゲームを生涯スポーツの一つとして取り入れられるよう、廉価で取り扱い易いものにする。【解決手段】矢を射る管には、廉価な塩ビパイプの短尺のものを使用し、長、中、短の３様のものにして変化を持たせ、射距離も５ｍ程度として室内でも楽しめるようにする。標的の台板５には、紙製の矢でも刺さるよう、発泡スチロール板を使用し、且つ、標的用枠板中央部に交換可能な交換用的台板５をはめ込む構造にし、標的用枠板と交換用的台板４枚〜１６枚をダンボール箱に収納し、長期間使用できるようにする。矢は折込チラシ等を専用の型紙で切り抜き、円錐形の芯型に巻きつけて作る手製とし、低廉化したものである。【選択図】図２
0003103739.tif 000002
【実用新案登録請求の範囲】
【請求項１】
管の両端部分に口元支持管を、中央部分に遊動支持管を装着した吹き矢管と、中心から
同心円の得点ごとに分割色分けされた標的用紙が貼り付けられた、中心部分に交換用的台板がはめ込められる標的用枠板と、標的用枠板と交換用的台板４枚〜１６枚が収納可能な
ダンボール箱と、紙製の矢、製作用の型紙と円錐形の芯型からなる、ゲーム用健康吹き矢
セット。
【請求項２】
内径１３mm、長さ５０cm〜９０cmの管の両端部分に口元支持管を、中央部分に遊動支持管を装着した、上記請求項１に記載の吹き矢管。
【請求項３】
中心から同心円の得点ごとに分割色分けされた標的用紙が貼り付けられた、中心部分に交換用的台板がはめ込められる、上記請求項１に記載の標的用枠板と交換用的台板と、標的
用枠板と交換用的台板４枚〜１６枚が収納可能な、ダンボール箱。
【請求項４】
紙製の矢を製作するための、上記請求項１に記載の、紙製の矢製作用の型紙と円錐形の芯型。
【考案の詳細な説明】
【技術分野】
【０００１】
本考案は、健康のためにゲームとして楽しむ吹き矢のための吹き矢管と、標的用台板と
紙製の矢、製作用の型紙と円錐形の芯型をセットにして販売する、ゲーム用健康吹き矢セットに関する。
【背景技術】
【０００２】
狩猟用具としての吹き矢は、昔から知られている。この吹き矢は、吹き矢管と矢からな
り、吹き矢管に矢を入れ、息を吹いて矢を飛ばす道具である。
【０００３】
従来知られている吹き矢は、上記のとおり狩猟用具であつた。近年はほとんど使用されることはなかつた。しかし、この吹き矢は、腹式呼吸法による瞬間的呼吸を必要とするため、呼吸器，消化器の働きを活発化。脳の深部にある延髄が活発化され体調が自動的によくなり、ひいては、ギツクリ腰などの腰痛の予防、回復に役立ち、便秘や食欲不振に有効であり、皮膚を美しく整え皮膚障害の克服にも役立つとされている。
【考案の開示】
【考案が解決しようとする課題】
【０００４】
上記のとおり吹き矢の効能が認識され、最近スポーツとして普及されてきているが、その用具である吹き矢管は、長尺、高価であり、的、矢も、消費頻度が高く、不経済を免れないしかも、既存の矢は、尖端に金属針等を装着していて危険なものもあり、考案者は、この吹き矢を安全廉価で扱いやすくすることを課題とするものである。
【課題を解決するための手段】
【０００５】
上記課題を解決するために本考案では、矢を射る管には内径１３mm、長さ５０cm〜９０cmの廉価な塩ビパイプを使用し、且つ、両端部に口元支持管を取り付け、中央部に遊動支持管を装着し、中央部の支持がしやすくするとともに、平面に置いた場合の中弛みによる変形にも対処した。的の台板には、紙製の矢でも刺さるよう、発泡スチロール板を使用し、且つ、標的用枠板は、中央部に４分の１の面積の交換可能な的台板をはめ込めるもので、交換用的台板４枚〜１６枚とともにダンボール箱に収納する。ダンボール箱は、上部吊り下げ部で壁等に押しピン又は粘着テープで止める。矢は、購入者自身が、型紙で切り出した紙を円錐形の芯型に巻きつけて製作する。
【考案の効果】
【０００６】
以上のように本考案では、矢を射る管は、短尺のうえ、両端部の口元支持管と中央部の遊動支持管により使いやすく、的台板も交換用台板の取替えで、長期間の使用が可能であり、室内でも容易に扱える。矢の用紙は、艶のある折込チラシが最適で、製作用型紙と円錐形の芯型で容易に作れ、経済的である。
【考案を実施するための最良の形態】
【０００７】
考案の実施の形態を実施例に基づく図面を参照して説明する。
【実施例１】
【０００８】
図１は、矢を射る管を示し、内径１３mmの塩ビパイプを使用し、符号１の本体の一方の端よりやや内側に、本体より広い口径の符号２の口元支持管をはめ込み、次いで中央部に同径で縦に切り割りをいれた符号３の遊動支持管を挿入し、残る一方の端に符号２の口元支持管をはめ込む。
【実施例２】
【０００９】
図２は、発泡スチロール製の標的板と収納用ダンボール箱を示し、実施例では、符号４
の標的用枠板中央部の４分の１の面積を切り抜き、符号５の交換用的台板をはめ込み、中心から同心円の得点ごとに分割色分けされた、符号６の標的用紙を貼り付けて使用する。符号７は、ダンボール箱で、実施例では上記、標的板の標的用枠板と交換用的台板４枚〜１６枚を収納できる寸法の、上部に吊り下げ用折り返しを付けてある。
【実施例３】
【００１０】
図３は、紙製の矢を作るための型紙と円錐形の芯型で、型紙の材料は、厚紙。円錐形の芯型の材料は、木、非鉄金属、塩化ビニール、プラスチック等固形のものであれば何でもよい、実施例では作る矢の長さに合わせた型紙と、円錐形の芯型は、矢の長さに位置の直径が、１３mmになるようにする。
【図面の簡単な説明】
【００１１】
【図１】矢を射る管の正面図である。
【図２】標的用紙と、発泡スチロール製標的用枠板と交換用的台板と、それを収納するダンボール箱の斜視図である。
【図３】紙製の矢を製作するための型紙と、紙を巻きつけて矢を製作する芯型である。
【符号の説明】
【００１２】
１  矢を射る管本体
２  両端部の口元支持管
３  中央部の遊動支持管
４  発泡スチロール製標的用枠板
５  発泡スチロール製交換用的台板
６  標的用紙
７  ダンボール箱
８  型紙
９  円錐型の芯型
【図１】
0003103739.tif 000003
【図２】
0003103739.tif 000004
【図３】
0003103739.tif 000005
(57)【要約】【課題】  浴槽の水をマイナスイオン水とするためのマイナスイオン発生器である。【解決手段】  ステンレス製の容器の中にトルマリン原石の砕粒を封入してなる容器であって、浴槽の中に吊り下げておくだけで、浴槽内の水はマイナスイオン水となり、皮膚炎やアトピー、じんましんなどのかゆみが解消でき、体があたたまり、美肌効果があり、しかも殺菌力によって浴槽のカビや湯あかが付きにくくなる効果が見られる。【選択図】  図１
0003103732.tif 000002
【実用新案登録請求の範囲】
【請求項１】
ステンレス製で正方形の四隅カットした外郭形状であって、この外郭に内接した円形の凹部（１）を形成し、該凹部（１）の底面に多数の小孔（３）を設けると共に、目の細かい金網（２）を敷設した皿状体Ａを２枚向い合せ、前記四隅部Ｂで接合し、この２枚の皿状体Ａによって形成された空室（５）にトルマリン石の砕粒Ｋを封入し、前記外郭の一隅Ｂに吊り下げ用のチエン（６）を設けたことを特徴とした浴槽用のマイナスイオン発生器。
【考案の詳細な説明】
【技術分野】
【０００１】
本考案は、マイナスイオンを発生することで知られている電気石と呼
ばれているトルマリン石の原石を入れた浴槽用の容器に関する。
【背景技術】
【０００２】
水道水を使用する家庭用の浴槽は、水道水中に含まれているカルキ分が肌にきらわれる傾向にあり、このため各種多様の浴用剤が市販されている。
【特許文献１】特開２００３−３３４５７０号公報
【考案の開示】
【考案が解決しようとする課題】
【０００３】
入浴に際してカルキ臭を嫌うため市販の入浴剤を使用しても芳香によってカルキ臭を消すのみで、肌に当る刺激が除かれるものでなく、単に気分を柔らげるだけの効果でしかなかった。
【課題を解決するための手段】
【０００４】
考案者は、この点に鑑み鋭意試験研究の結果、マイナスイオン水が肌にやさしく、カルキ臭の除去の作用があり、しかも殺菌の作用があることを発見し、このマイナスイオン水を浴槽に使用することを発案した。
【０００５】
マイナスイオンの発生には色々考えられるが、電気石と呼ばれているトルマリン石を浴槽内に入れることを考えた。
【０００６】
しかし浴槽内では常に水中にあるためトルマリン石を入れる容器について錆の出ないもの、トルマリン石からのマイナスイオンの発生を有効にするため表面積を多くとるため砕石として使用するという条件が必要となった。
【０００７】
このため本考案にあっては、全体をステンレス製とし、細かい目の金網と小孔を設けることによって浴槽用のマイナスイオン発生器を提供することができた。
【考案の効果】
【０００８】
このマイナスイオン発生器を浴槽に使用するときは、発生するマイナスイオンによって皮膚炎やアトピー、又はじんましんなどのかゆみが解消でき、しかも体があたたまるという浴用効果があるばかりか、マイナスイオンの殺菌力によって浴槽のカビや湯あかが付きにくいという特別な作用効果が認められる。
【考案を実施するための最良の形態】
【０００９】
本考案の容器は浴槽内に入れるため錆に気をつかい、しかも常時使用するためステンレス製とすることによって浴槽内に入れても違和感もなく使用できる。
【実施例】
【００１０】
添付図面により本考案を説明すると、図１は本考案の浴用のマイナスイオン発生器の正面図であって、図２は断面図を示すものである。
【００１１】
この浴槽用のマイナスイオン発生器は、錆をきらうため全体にステンレス製で正方形の形状をし、この四隅を円弧状にカットした外郭形状であって、この外郭形に内接した円形の凹部（１）を形成する。
【００１２】
そして、この円形の凹部（１）の底面に多数の小孔（３）を設け、この小孔（３）を設けた底面に目の細かい金網（２）を敷設した皿状体Ａとし、この皿状体Ａ２枚を向い合せて接合し、この凹状体Ａによって形成された空室（５）にトルマリン石の砕石Ｋを封入した後、皿状体Ａの一隅Ｂに吊り下げ用のチエン（６）を設けるものである。
【産業上の利用可能性】
【００１３】
この考案は、単にマイナスイオン発生器を浴槽内に入れて置くことによってトルマリン石からマイナスイオンが発生することによって、浴槽内の水はマイナスイオン水となりその効果が顕著に現われるため一般の家庭においての利用度は大きい。
【図面の簡単な説明】
【００１４】
【図１】本考案のマイナスイオン発生器の平面図
【図２】断面図
【符号の説明】
【００１５】
１  凹部
２  金網
３  小孔
５  空室
６  チエン
Ａ  皿状体
Ｂ  隅部
Ｋ  トルマリン石
【図１】
0003103732.tif 000003
【図２】
0003103732.tif 000004
(57)【要約】【課題】  検査ボールを複数の排水口から一度に流す場合でも、あるいは一つの排水口から数回にわたって複数個を流す場合でも、どの排水口から流れてきたのか、あるいは、何回目に流したものかを容易に目視により確認できると共に、保管する場合も管理が容易にできることを目的とする。【解決手段】  建築物の排水管の排水精度を確認する排水検査において、適量の水と共に流す検査ボールの表面に数字を、別の検査ボールの数字と連番となるように表示したこと。【選択図】図１
0003103782.tif 000002
【実用新案登録請求の範囲】
【請求項１】
建築物の排水管の排水精度を確認する排水検査において、適量の水と共に流す検査ボールの表面に数字を、別の検査ボールの数字と連番となるように表示したことを特徴とする排水検査ボール。
【考案の詳細な説明】
【技術分野】
【０００１】
本考案は、建築物の配管工事において、例えば、トイレや台所、浴室などの排水管の排水精度を確認する排水用の検査ボールに関する。
【背景技術】
【０００２】
従来、例えば、トイレの排水検査を行う際、適宜大きさのゴム製、あるいは樹脂製の検査ボールを適量の水と共に排水管に流し込んで、排水升に検査ボールが流れついたか否かによってその排水精度を確認していた。
【０００３】
しかし、排水口の複数箇所から一度に流す場合や、一箇所の排水口からでも複数個の検査ボールを数回にわたって流す場合にはどの排水口から又は何回目に流したのかを識別することができず、適宜、現場で対応していた。
【特許文献１】特開平９−２７３２１１号
【考案の開示】
【考案が解決しようとする課題】
【０００４】
本考案は、検査ボールを複数の排水口から一度に流す場合でも、あるいは一つの排水口から数回にわたって複数個を流す場合でも、どの排水口から流れてきたのか、あるいは、何回目に流したものかを容易に目視により確認できると共に、保管する場合も管理が容易にできることを目的とする。
【課題を解決するための手段】
【０００５】
その手段として、本考案は、建築物の排水管の排水精度を確認する排水検査において、適量の水と共に流す検査ボールの表面に数字を、別の検査ボールの数字と連番となるように表示したことを特徴とする。
【考案の効果】
【０００６】
本考案は、建築物の排水管の排水精度を確認する排水検査において、適量の水と共に流す検査ボールの表面に数字を、別の検査ボールの数字と連番となるように表示したことを特徴とし、そのことで、排水口の場所を番号化し、その番号に対応する番号が表示された検査ボールを流すことで排水口の場所を目視により容易に識別することができるので効率よく排水検査を実施することができる。
また、一つの排水口から数回にわたって複数個の検査ボールを流す場合でも
流す回数と検査ボールに表示した数字を対応させることで目視により容易に確認することができるので上記と同様に効率よく排水検査を実施することができる。。
また、保管する場合にも連番で表示されているので管理が容易になるので、紛失等がなくなる。
【考案を実施するための最良の形態】
【０００７】
図１は、本考案の実施例を示す斜視図であり、1は検査ボールであり、球体の外観の表面に数字２が表示されている。
数字は、例えば、検査ボール１０個を１組とした場合、０〜９など連番で表示する。
表示方法は印刷、刻印などがあり、材質はゴム製、樹脂製で内側が空洞状、中実状でもよく、特に限定するものではない。
【図面の簡単な説明】
【０００８】
【図１】本考案の実施例を示す斜視図
【符号の説明】
【０００９】
１    ボール
２    数字
【図１】
0003103782.tif 000003
(57)【要約】【要約書】【課題】  パジャマを着て寝ている間に上衣の袖口や下衣の裾口が捲れ上がったりしても手や足を露出せず、寒さや冷えを感じなく安心して就寝或は洗顔することが出来るようにする【解決手段】  一端をゴムなどの弾力材を設けて伸縮可能な内覆口２ａ・３ａとしてなる内覆２・３の内覆口２ａ・３ａを上衣４の袖口５ａ及び下衣６の裾口７ａ側にして袖５及び裾７の内側に内覆２・３を設け、内覆口２ａ・３ａが袖口５ａ及び裾口７ａよりやや内側の位置となるよう内覆２・３の他端を袖５及び裾７内に縫着したものである。【選択図】        図１
0003103756.tif 000002
【実用新案登録請求の範囲】
【請求項１】
一端をゴムなどの弾力材を設けて伸縮可能な内覆口としてなる内覆の内覆口を上衣の袖口及び下衣の裾口側にして袖及び裾の内側に内覆を設け、内覆口が袖口及び裾口よりやや内側の位置となるよう内覆の他端を袖及び裾内に縫着したことを特徴とするパジャマ。
【考案の詳細な説明】
【技術分野】
【０００１】  本考案は就寝時に着用するパジャマに関するものである。
【背景技術】
【０００２】  寝間着としては着物タイプの寝巻などの和式や上着と下衣が組となっているパジャマなどの洋式があり、それぞれ特長があるため着る人の好みによって選択し着用していた。
【考案が解決しようとする課題】
【０００３】  その中で洋式のパジャマを着て寝ると、寝ている間に上着の袖口や下衣の裾口が捲れ上がったりしてしまい、折角覆っていた手や足を露出して冷やしたりして寒くなったり、或は洗面所で袖口をまくり上げて洗顔していても、自然に袖口が下がってきて濡れてしまったりする等、パジャマの着用上非常に不都合を感じていた。
【課題を解決するための手段】
【０００４】  本考案はこのような不都合を解消し、安心して就寝や洗顔をすることが出来るパジャマを提供せんとするものである。
一端をゴムなどの弾力材を設けて伸縮可能な内覆口としてなる内覆の内覆口を上衣の袖口及び下衣の裾口側にして袖及び裾の内側に内覆を設け、内覆口が袖口及び裾口よりやや内側の位置となるよう内覆の他端を袖及び裾内に縫着したものである。
【０００５】  作用について、
使用に当っては従来のパジャマと同じように着用する。
すると着用して寝ている間内に覆口が手首や足首に止まっているため、手足を動かして袖や裾が捲り上がっても内覆が手足を常に覆っていて露出せず寒さや冷えを感じさせない。
又、パジャマが大きめで袖が長く手首まで袖口が着ていても、袖と内覆を共に捲り上げておけば、内覆口がその位置で止まって袖を落ちないようにし、洗顔しても袖を濡らすことがない。
【考案の効果】
【０００６】  上述の如く本考案は、内覆口が手首や足首に止まるため寝ている間に袖や裾がどの状態になっても手足を露出しないため、冷えや寒さを感じることなく安心して就寝することが出来る。
又、袖と内覆を共に捲り上げると内覆口がその位置で止まって袖を落ちないようにし、洗顔しても袖を濡らすことがない。
【考案を実施するための最良の形態】
【０００７】  一端をゴムなどの弾力材を設けて伸縮可能な内覆口としてなる内覆の内覆口を上衣の袖口及び下衣の裾口側にして袖及びの裾の内側に内覆を設け、内覆口が袖口及び裾口よりやや内側の位置となるよう内覆の他端を袖及び裾内に縫着したものである。
【実施例１】
【０００８】  以下本考案の一実施例を図面について説明する。
図中１はパジャマ全体を示し、２・３は筒状の内覆であって、一端をゴムなどの弾力材を設けて伸縮可能な内覆口２ａ・３ａとしている。
４は上衣であって、内覆口２ａを袖口５ａ側にして内覆２を袖５の内側に設け、内覆口２ａが袖口５ａよりやや内側の位置となるよう内覆２の他端を袖５内に縫着している。
６は下衣であって、内覆口３ａを裾口７ａ側にして内覆３を裾７の内側に設け、内覆口３ａが裾口７ａよりやや内側の位置となるよう内覆３の他端を裾７内に縫着している。【０００９】  使用に当っては従来のパジャマと同じように着用すれば良い。
そして着用して寝ている間内覆口２ａ・３ａが手首や足首に止まっているため、手足を動かして袖５や裾７が捲り上がっても内覆２・３が手足を常に覆っていて露出せず寒さや冷えを感じさせない。
若しパジャマ１が大きめで袖５が長く手首まで袖口５ａが着ていても、袖５と内覆２を共に捲り上げておけば、内覆口２ａがその位置で止まって袖５を落ちないようにし、洗顔しても袖口５ａを濡らすことがない。
【産業上の利用可能性】
【００１０】  本考案は洋式のパジャマ類の全てに利用することが出来る。
【図面の簡単な説明】
【００１１】
【図１】実施例の一部を破断した正面図
【図２】実施例の内覆の斜視図
【符号の説明】
【００１２】１    パジャマ
２    内覆
２ａ  内覆口
３    内覆
３ａ  内覆口
４    上衣
５    袖
５ａ  袖口
６    下衣
７    裾
７ａ  裾口
【図１】
0003103756.tif 000003
【図２】
0003103756.tif 000004
(57)【要約】      （修正有）【課題】脱臭や殺菌効果の機能を高めるため空気イオンに加えてオゾンを必要とする場合に、簡単な操作でオゾンの発生を制御できる低コストの空気イオン及びオゾン発生装置を提供する。【解決手段】直流高圧ユニット１の出力である高圧電位端子２に空気イオン発生用放電針４およびオゾン発生用放電針５を接続し、オゾン発生用放電針５の近傍に金属板６を配置する。金属板６は開閉器７のＯＮ、ＯＦＦ動作により基準電位端子３との接続、遮断ができる。空気イオン発生用放電針４により空気イオンを常時発生させながら、開閉器７をＯＮにしたとき金属板６は基準電位となるためオゾン発生用放電針との間のコロナ放電によりオゾンを生成する。開閉器７をＯＦＦにすれば金属板６は基準電位から開放されてコロナ放電はなくなりオゾンは抑制される。【選択図】図１
0003103754.tif 000002
【実用新案登録請求の範囲】
【請求項１】
直流高圧出力の高圧電位端子に空気イオン発生用放電針及びオゾン発生用放電針が接続され、オゾン発生用放電針の近傍に直流高圧出力の基準電位端子に接続された金属板を配置した構造の空気イオン及びオゾン発生装置。
【請求項２】
直流高圧出力の基準電位端子とオゾン発生用放電針の近傍に配置された金属板の間に開閉器を接続した構造の請求項１の空気イオン及びオゾン発生装置。
【考案の詳細な説明】
【考案の詳細な説明】
【技術分野】
【０００１】本考案は空気イオン及びオゾン発生装置に関する。
【背景技術】
【０００２】空気イオンを発生させる装置において、従来人体に有害なオゾンの発生については極力発生させない配慮をしていた。このため高圧電位のかかるイオン発生用放電針と基準電位の間は一定の距離を確保してコロナ放電をさせないことによりオゾンの発生を抑制していた。空気イオンのみの活用であればオゾンの発生は不要であるが、空気イオンに加えて脱臭や殺菌を目的とする場合には一定のオゾンが必要となる。一定した量の空気イオン及びオゾンを同時に安定して制御するには従来のイオン発生用放電針のみでは実現困難であった。空気イオンの発生機構に加えて専用のオゾン発生機構を別に設置すれば空気イオンとオゾンの両者を安定して制御できるが、装置は複雑となりコストも高価なものとなる。
【考案が解決しようとする課題】
【０００３】本考案は、従来の空気イオン発生装置に極めて簡単な機構を付加することにより空気イオンに加えてオゾンを発生させ、オゾンが不要な場合には開閉器の操作によりオゾンの発生を容易に抑制することができる空気イオン及びオゾン発生装置を安価なコストで提供することを目的とする。
【課題を解決するための手段】
【０００４】空気イオンを発生させるためには高圧電位に接続された空気イオン発生用放電針が必要であるが、同一の高圧電位に別のオゾン発生用放電針を接続する。オゾン発生用放電針の近傍に基準電位に接続された金属板を配置する。これによりオゾン発生用放電針と金属板の間でコロナ放電が生じオゾンを生成する。これにより空気イオン発生用放電針の先端からは空気イオンが放出され、同時にオゾン発生用放電針及び金属板の間隙からはオゾンが発生する。基準電位と金属板との間に開閉器を入れることによりオゾンの発生を抑制することができる。すなわち開閉器がＯＦＦのとき金属板は基準電位から切り離されて、コロナ放電がなくなりオゾンの発生が抑制される。
【考案を実施するための最良の形態】
【０００５】以下実施例により考案実施の態様を説明する。例示は負イオン発生装置であるが、単に説明用のものであり考案思想の制限又は限定を意味するものではない。
【実施例】
【０００６】
【０００７】以下本考案の一実施例について図面を参照して説明する。【０００８】図１は本考案の回路図を示す。【０００９】直流高圧ユニット１の高圧電位端子２には−５ＫＶの電圧が出力されて空気イオン発生用放電針４に接続している。また高圧電位端子２にはオゾン発生用放電針５を接続し、同じく−５ＫＶの電圧が印加される。直流高圧ユニット１の基準電位端子３は開閉器７を介して金属板６に接続している。開閉器７の状態にかかわらず、空気イオン発生用放電針４の先端においては負イオンが放出される。開閉器７がＯＮの時には金属板６は基準電位になり、オゾン発生用放電針５と金属板６の間においてコロナ放電を生じてオゾンを発生する。開閉器７がＯＦＦの時、金属板７は基準電位から切り離されるため，コロナ放電は抑制されてオゾンの発生も微量になる。【００１０】開閉器７を操作することによりオゾンの発生を容易に制御することができる。例えば脱臭や殺菌の機能を強化する時にはオゾン量を増やすため開閉器７をＯＮにする。負イオンのみを必要とする時には開閉器７をＯＦＦにすればよい。
【考案の効果】
【００１１】本考案は空気イオン発生装置を簡単な操作によりオゾンの発生を付加制御することにより、従来の空気イオンのみによる雰囲気に加えて脱臭や殺菌などへの機能を強化した装置を提供できる。極めて簡単な構成であるため、低コストで提供できる。
【図面の簡単な説明】
【図１】本考案の回路図
【符号の説明】
１：直流高圧ユニット
２：高圧電位端子
３：基準電位端子
４：空気イオン発生用放電針
５：オゾン発生用放電針
６：金属板
７：開閉器
【図１】
0003103754.tif 000003
(57)【要約】      （修正有）【課題】最近、生活環境・服装・ストレスが原因で、婦人科疾患の人が多く、しかも既に１０代後半にも患者が急増している。従って、これらの病気を、発病してから苦しんだり、薬物による治療をするのではなく、身体に害のない副作用のない自然のもので予防改善を計る。【解決手段】最近、医療の現場でもトルマリンがさまざまな疾病の予防改善に効果があることが報告されている。従って、常時下腹部の中極・関元の両ツボを刺激する位置に、トルマリン粉末４をプリントした布をつける。【選択図】図４
0003103758.tif 000002
【実用新案登録請求の範囲】
【請求項１】
ショーツの前部にトルマリンプリント布をつけることにより、常時、中極・関元の両ツボを刺激して、生殖機能の正常化、膀胱炎・排尿障害の緩和、婦人科疾患の予防と改善、血行促進をねらった健康ショーツ。
【考案の詳細な説明】
【考案が解決しようとする課題】
【０００１】  最近婦人科疾患の人が増え、低年齢層にも急増している。既に１０代後半でも子宮内膜症の報告もある。また若い女性の生理不順・生理痛も多い。これらの症状は、生活環境・服装からの冷えと、現代病のストレスが原因だと云われている。発病してから苦しんだり、薬物に頼るのではなく、副作用のない、害のない自然のもので予防改善を計る。
【課題を解決するための手段】
【０００２】  最近医療の現場でも、トルマリンがさまざまな疾病の予防改善に効果があることが報告されている。従って、常時下腹部の中極・関元の両ツボを刺激する位置に、トルマリン粉末をプリントした布をつける。
【考案の効果】
【０００３】  この健康ショーツは、中極・関元の両ツボを刺激するために、血行促進・生殖機能の正常化、膀胱炎・排尿障害の不快症状の緩和、婦人科疾患の予防と改善がみられる。特に若い女性はその服装等により、下半身の冷えが多いので、この健康ショーツは若い人達に効果が顕著であり、喜ばれている。
以下は、体験者による効果な主なものである。
１、常にポカポカ温かい。夏でも使用しているほうが気持ちよく気分も爽快である。
２、下半身だけではなく、全身が温かい。冷え性だったが、上着は薄着でも良くなった。
３、長年の生理痛の苦しみから解放された。薬が不要となった。
４、生理がきちんと周期的にあるようになった。
５、膀胱血石の血尿が、検査の結果改善されていた。
６、長年、下腹部が固かったのだが、柔らかくなり、その部分が痩せた。
７、便通が良くなり、規則正しくなった。
８、夜中に胃が痛かったのが、良くなった。
９、排尿の回数が減ると共に、１度に気持ちよく多量に出るようになった。
１０、残尿感が有り、不快であったのでこのショーツをつけたら、幾時間もしないうちに解消した。
【図面の簡単な説明】
【図１】中極・関元のツボの位置図である。
【図２】健康ショーツにつけるトルマリンプリント布の製図である。Ｍサイズ。
【図３】健康ショーツの前面表側図である。
【図４】健康ショーツの前面裏側図である。
【符号の説明】
１、関元（恥骨とおへその中間にあるツボ）
２、中極（恥骨とおへそを結ぶ線の下から五分の一の場所にあるツボ。）
３、トルマリンプリント布。Ｍサイズ二分の一縮図
４、５０ｍｍ大の水玉模様にプリントしたトルマリン粉末
【図１】
0003103758.tif 000003
【図２】
0003103758.tif 000004
【図３】
0003103758.tif 000005
【図４】
0003103758.tif 000006
(57)【要約】      （修正有）【課題】家電収納部空間高さを収納家電の必要とする高さに設定することが課題である。【解決手段】下キャビネット３と上キャビネット１間の家電収納部空間高さをパイプ等の上下機能をもつ構造物２により拡大、縮小させる。上下可動機能により家電収納部の収納、放熱のために必要とする高さを確保できると共に無駄な空間をなくすことが可能となり、上部キャビネットの高さを確保することにより天井いっぱいまで据付固定でき耐震上有利な構造となる。【選択図】なし【実用新案登録請求の範囲】
【請求項１】
下キャビネットと上キャビネット間の家電収納部空間高さを拡大、縮小できる機能を有する家庭電化製品収納キャビネット。
【考案の詳細な説明】
【技術分野】
【０００１】
本考案は家電収納部空間高さの拡大、縮小に関するものである。
【背景技術】
【０００２】
従来の家電収納部分は家電製品がサイズ、放熱量等多種、多様であるにもかかわらず、固定式のため、空間部容量が不足したり余ったり、特に放熱に問題があつた。
【０００３】
この改善策として、家電収納部空間高さの拡大、縮小機能をもたせる。
【考案の開示】
【考案が解決しようとする課題】
【０００４】
考案が解決しようとする問題点は、従来固定式であった家電収納部空間高さを必要に合わせ拡大、縮小する事。
【課題を解決するための手段】
【０００５】
本考案は家電収納部空間高さを上下機能のある複数のパイプ等の構造物により拡大、縮小するものである。
【考案の効果】
【０００６】
上下可動機能により家電収納部の収納、放熱のために必要とする高さを確保できると共に無駄な空間をなくすことが可能となり、上部キャビネットの高さを確保する事により天井いっぱいまで据付固定でき耐震上有利な構造となる。
【考案を実施するための最良の形態】
【０００７】
下キャビネットと上キャビネットの間に上下可動機能のある複数のパイプ等の構造物を設置する形態である。
【実施例１】
【０００８】
図１は本考案の家電収納部高さの拡大実施例正面図である。  
【実施例２】
【０００９】
図２は本考案の家電収納部高さの縮小実施例正面図である。
【実施例３】
【００１０】
図３は本考案の家電収納部高さの縮小、拡大実施例側面図である。  
【図面の簡単な説明】
【００１１】
【図１】家電収納家具の実施方法を示した正面図である。（実施例１）
【図２】家電収納家具の実施方法を示した正面図である。(実施例２)
【図３】家電収納家具の実施方法を示した側面図である。(実施例３)
【符号の説明】
【００１２】
１  上キャビネット
２  上下可動構造物
３  下キャビネット  
【図１】
0003103760.tif 000002
【図２】
0003103760.tif 000003
【図３】
0003103760.tif 000004
【手続補正書】
【提出日】平成16年2月4日(2004.2.4)
【手続補正１】
【補正対象書類名】実用新案登録請求の範囲
【補正対象項目名】全文
【補正方法】変更
【補正の内容】
【実用新案登録請求の範囲】
【請求項１】
台所用電気製品を収納する家電収納家具であって、上キャビネット、下キャビネット及びその中間の家電製品収納部に設置される上下可動機能を備えた構造物より構成され、この構造物により上キャビネットを上昇もしくは下降させることにより家電収納部高さを拡大、縮小できることを特徴とする家電収納家具。
【手続補正書】
【提出日】平成16年4月22日(2004.4.22)
【手続補正１】
【補正対象書類名】実用新案登録請求の範囲
【補正対象項目名】全文
【補正方法】変更
【補正の内容】
【実用新案登録請求の範囲】
【請求項１】
台所用電気製品を収納する家電収納家具であって、上キャビネット、下キャビネット及びその中間に設置される上下可動機能を持つパイプによって組合された構造を持つ家電収納家具で、ラチェット式、油圧式、ねじ式或いは、等間隔にあけられた孔と孔をボルトで止める方式等により上下可動を可能としたパイプを上キャビネットと下キャビネットの間に取り付けることにより上キャビネットを上昇或いは下降させ空間部高さを変更できる機能を備えている事を特徴とする家電収納家具。
(57)【要約】【課題】  本考案は腰にボール付帯状布を装着することで腰痛予防または，軽減させる事を目的とする【解決手段】  本考案は帯状布にネットを付けそこにボールを固定し端部を面ファスナーにする事で着脱が自在になり腰痛予防に役立つ【選択図】    図１
0003103759.tif 000002
【実用新案登録請求の範囲】
【請求項１】
ボール状の物を帯状布の付属ネット内に固定し，布の端部同士を着脱自在に結合したことを特徴とする帯状装身具。
【考案の詳細な説明】
【技術分野】
【０００１】  帯状布にボールを固定した装身具
【背景技術】
【０００２】  長時間同じ姿勢で座っていると腰が痛くなるが，腰にボールを当てておくと，その予防になる。
【考案の開示】
【考案が解決しようとす課題】
【０００３】  ボールなどを腰に当ててるだけでは，体を動かすたびに，ボールは落下し，そのたびに腰に当て直さなければならない。体に装着させることで，前途の欠点を解決しようとする物である。
【課題を解決するための手段】
【０００４】  帯状布にネットを付け，そこにボールを固定し端部を面ファスナーにする事で，着脱が容易にし問題を解決する
【考案の効果】
【０００５】  上述の様にする事により，いつでも手軽に装着でき，体を動かしてもボールは落下せず，腰に固定される
【考案の実施するための最良の形態】
【０００６】  装着する時は分厚い衣類の上からでは，効果が少なくなるため，なるべくうすいシャツ１枚で装着することが望ましい
【図面の簡単な説明】
【０００７】
【図１】本考案に基づく帯状装身具を示す一部破断斜視図である
【図２】本考案に基づく装身具を背面側から見た斜視図である
【符号の説明】
【０００８】  １  帯状装身具
２  ボール
３  巻回部
４  ネット状布
５  面ファスナー
【図１】
0003103759.tif 000003
【図２】
0003103759.tif 000004